【手続補正書】
【提出日】平成19年7月2日(2007.7.2)
【手続補正１】
【補正対象書類名】特許請求の範囲
【補正対象項目名】全文
【補正方法】変更
【補正の内容】
【特許請求の範囲】
【請求項１】
ネットワーク上の一つ又は複数の画像出力デバイスとプロトコル変換装置とから構成される画像出力システムであって、
前記プロトコル変換装置は、
第１のプロトコルを利用した通信により受信したデータを、前記画像出力デバイスに対応する第２のプロトコルに応じたデータに変換するプロトコル変換手段と、
前記ネットワーク上の一つ又は複数の画像出力デバイスのうちエラーメッセージの表示を依頼することが可能な画像出力デバイスである依頼可能デバイスに関する情報を格納する格納手段と、
前記プロトコル変換手段における処理においてエラーが発生した場合に、前記格納手段を参照することで前記依頼可能デバイスへ前記エラーに応じたエラーメッセージを送信する送信手段と
を具備し、
前記依頼可能デバイスは、前記送信手段により送信されたエラーメッセージを表示する表示手段を具備することを特徴とする画像出力システム。
【請求項２】
前記送信手段は、前記エラーメッセージと前記エラーメッセージに対応付けられた前記エラーメッセージの優先度を定める優先度情報を前記依頼可能デバイスへ送信することを特徴とする請求項１に記載の画像出力システム。
【請求項３】
前記依頼可能デバイスは、
前記送信手段により送信された優先度情報に応じて前記表示手段への表示方法を制御する表示制御手段を更に具備することを特徴とする請求項２に記載の画像出力システム。
【請求項４】
前記表示手段は、前記依頼可能デバイスでの処理におけるエラーに応じた第２のエラーメッセージを表示可能であり、
前記第２のエラーメッセージの優先度を定める優先度情報が前記第２のエラーメッセージに対応付けられており、
前記依頼可能デバイスは、前記送信手段により送信されたエラーメッセージ及び前記第２のエラーメッセージに関し、各エラーメッセージの優先度情報及び前記表示手段の表示画面の大きさに応じて前記表示手段への表示方法を制御する表示制御手段を更に具備することを特徴とする請求項２に記載の画像出力システム。
【請求項５】
前記表示制御手段における表示方法の制御とは、複数のエラーメッセージのうち優先度の高いものを前記表示手段に表示する表示方法、複数のエラーメッセージを順番に切り替えて前記表示手段に表示する表示方法、複数のエラーメッセージを並列に並べて前記表示手段に表示する表示方法のいずれか一つの表示方法を選択することを特徴とする請求項３又は４に記載の画像出力システム。
【請求項６】
前記プロトコル変換装置は、前記ネットワーク上の一つ又は複数の画像出力デバイスの中からエラーメッセージの表示を依頼することが可能な画像出力デバイスを探索して、探索した画像出力デバイスを依頼可能デバイスとして前記依頼可能デバイスに関する情報を前記格納手段に登録する探索手段を更に具備することを特徴とする請求項１乃至５のいずれか１項に記載の画像出力システム。
【請求項７】
前記探索手段は、エラーメッセージの表示を依頼することが可能な画像出力デバイスとして、表示装置を備える画像出力デバイスを探索することを特徴とする請求項６に記載の画像出力システム。
【請求項８】
ネットワーク上の一つ又は複数の画像出力デバイスと、第１のプロトコルを利用した通信により受信したデータを、前記画像出力デバイスに対応する第２のプロトコルに変換するプロトコル変換手段を備えるプロトコル変換装置とから構成される画像出力システムで行われるエラーメッセージ表示方法であって、
前記プロトコル変換装置において、前記プロトコル変換手段における処理においてエラーが発生した場合に、前記ネットワーク上の一つ又は複数の画像出力デバイスのうちエラーメッセージの表示を依頼することが可能な画像出力デバイスである依頼可能デバイスに関する情報を格納する格納手段を参照することで、前記依頼可能デバイスへ前記エラーに応じたエラーメッセージを送信する送信ステップと、
前記依頼可能デバイスにおいて、前記送信ステップにより送信されたエラーメッセージを表示手段に表示する表示ステップとを有すること
を特徴とするエラーメッセージ表示方法。
【請求項９】
データ処理装置であって、
第１のプロトコルを利用した通信により受信したデータを、ネットワーク上の画像出力デバイスに対応する第２のプロトコルに応じたデータに変換するプロトコル変換手段と、
前記ネットワーク上の一つ又は複数の画像出力デバイスのうちエラーメッセージの表示を依頼することが可能な画像出力デバイスである依頼可能デバイスに関する情報を格納する格納手段と、
前記プロトコル変換手段における処理においてエラーが発生した場合に、前記格納手段を参照することで前記依頼可能デバイスへ前記エラーに応じたエラーメッセージを送信する送信手段と
を具備し、
前記送信手段により送信されたエラーメッセージは前記依頼可能デバイスにて表示されることを特徴とするデータ処理装置。
【請求項１０】
データ処理装置であって、
受信した画像データを展開処理する展開手段と、
前記展開手段により展開処理された後の画像データを、ネットワーク上の画像出力デバイスに送信する画像データ送信手段と、
前記ネットワーク上の一つ又は複数の画像出力デバイスのうちエラーメッセージの表示を依頼することが可能な画像出力デバイスである依頼可能デバイスに関する情報を格納する格納手段と、
前記展開手段における処理においてエラーが発生した場合に、前記格納手段を参照することで前記依頼可能デバイスへ前記エラーに応じたエラーメッセージを送信する送信手段と
を具備し、
前記送信手段により送信されたエラーメッセージは前記依頼可能デバイスにて表示されることを特徴とするデータ処理装置。
【手続補正２】
【補正対象書類名】明細書
【補正対象項目名】発明の名称
【補正方法】変更
【補正の内容】
【発明の名称】画像出力システム及びエラーメッセージ表示方法
【手続補正３】
【補正対象書類名】明細書
【補正対象項目名】０００１
【補正方法】変更
【補正の内容】
【０００１】
本発明は、画像出力システム及びエラーメッセージ表示方法に関する。
【手続補正４】
【補正対象書類名】明細書
【補正対象項目名】０００８
【補正方法】変更
【補正の内容】
【０００８】
本発明は、上述した事情を考慮してなされたもので、ネットワークに接続された複数の機器（デバイス）の一つでエラーが発生した際に、他の複数の機器に発生したエラーに応じたエラーメッセージを表示させることを目的とする。
【手続補正５】
【補正対象書類名】明細書
【補正対象項目名】０００９
【補正方法】変更
【補正の内容】
【０００９】
そこで、本発明は、ネットワーク上の一つ又は複数の画像出力デバイスとプロトコル変換装置とから構成される画像出力システムであって、前記プロトコル変換装置は、第１のプロトコルを利用した通信により受信したデータを、前記画像出力デバイスに対応する第２のプロトコルに応じたデータに変換するプロトコル変換手段と、前記ネットワーク上の一つ又は複数の画像出力デバイスのうちエラーメッセージの表示を依頼することが可能な画像出力デバイスである依頼可能デバイスに関する情報を格納する格納手段と、前記プロトコル変換手段における処理においてエラーが発生した場合に、前記格納手段を参照することで前記依頼可能デバイスへ前記エラーに応じたエラーメッセージを送信する送信手段とを具備し、前記依頼可能デバイスは、前記送信手段により送信されたエラーメッセージを表示する表示手段を具備することを特徴とする。
【手続補正６】
【補正対象書類名】明細書
【補正対象項目名】００１０
【補正方法】変更
【補正の内容】
【００１０】
また、本発明は、ネットワーク上の一つ又は複数の画像出力デバイスと、第１のプロトコルを利用した通信により受信したデータを、前記画像出力デバイスに対応する第２のプロトコルに変換するプロトコル変換手段を備えるプロトコル変換装置とから構成される画像出力システムで行われるエラーメッセージ表示方法であって、前記プロトコル変換装置において、前記プロトコル変換手段における処理においてエラーが発生した場合に、前記ネットワーク上の一つ又は複数の画像出力デバイスのうちエラーメッセージの表示を依頼することが可能な画像出力デバイスである依頼可能デバイスに関する情報を格納する格納手段を参照することで、前記依頼可能デバイスへ前記エラーに応じたエラーメッセージを送信する送信ステップと、前記依頼可能デバイスにおいて、前記送信ステップにより送信されたエラーメッセージを表示手段に表示する表示ステップとを有することを特徴とする。
【手続補正７】
【補正対象書類名】明細書
【補正対象項目名】００１１
【補正方法】変更
【補正の内容】
【００１１】
また、本発明は、データ処理装置であって、第１のプロトコルを利用した通信により受信したデータを、ネットワーク上の画像出力デバイスに対応する第２のプロトコルに応じたデータに変換するプロトコル変換手段と、前記ネットワーク上の一つ又は複数の画像出力デバイスのうちエラーメッセージの表示を依頼することが可能な画像出力デバイスである依頼可能デバイスに関する情報を格納する格納手段と、前記プロトコル変換手段における処理においてエラーが発生した場合に、前記格納手段を参照することで前記依頼可能デバイスへ前記エラーに応じたエラーメッセージを送信する送信手段とを具備し、前記送信手段により送信されたエラーメッセージは前記依頼可能デバイスにて表示されることを特徴とする。
【手続補正８】
【補正対象書類名】明細書
【補正対象項目名】００１２
【補正方法】変更
【補正の内容】
【００１２】
また、本発明は、データ処理装置であって、受信した画像データを展開処理する展開手段と、前記展開手段により展開処理された後の画像データを、ネットワーク上の画像出力デバイスに送信する画像データ送信手段と、前記ネットワーク上の一つ又は複数の画像出力デバイスのうちエラーメッセージの表示を依頼することが可能な画像出力デバイスである依頼可能デバイスに関する情報を格納する格納手段と、前記展開手段における処理においてエラーが発生した場合に、前記格納手段を参照することで前記依頼可能デバイスへ前記エラーに応じたエラーメッセージを送信する送信手段とを具備し、前記送信手段により送信されたエラーメッセージは前記依頼可能デバイスにて表示されることを特徴とする。
【手続補正９】
【補正対象書類名】明細書
【補正対象項目名】００１３
【補正方法】変更
【補正の内容】
【００１３】
本発明によれば、ネットワークに接続された複数の機器（デバイス）の一つでエラーが発生した際に、他の複数の機器に発生したエラーに応じたエラーメッセージを表示させることができる。